(57)【特許請求の範囲】
【請求項１】
相対的に広い面積を有する一方表面と、この一方表面に連なり、前記一方表面と交差する方向に延びるとともに、相対的に狭い面積を有し、開口部が形成された他方表面とを有する筐体と、
前記筐体の内部に配置され、前記開口部において一部表面が露出するとともに、前記筐体の内部に配置された電池と電気的に接続された端子部材を備え、
前記端子部材は前記一部表面と連なる端部を含み、
前記端部は前記筐体に形成された凹部に挿入され、さらに、
前記端子部材は、
前記他方表面とほぼ平行に延在し、前記一部表面および端部を含む電極部と、
前記電極部に連なり、前記一方表面とほぼ平行に延在するとともに前記一方表面を構成する筐体の部分と接触するベース部とを含む、電池実装装置。
【請求項２】
前記端子部材は金属を含む、請求項１に記載の電池実装装置。
【請求項３】
請求項１または２に記載の電池実装装置を備える電池パック。
【請求項４】
請求項３に記載の電池パックと、
前記開口部において露出する前記端子部材の一部表面に接触する給電端子とを備える、携帯機器。
【発明の詳細な説明】
【０００１】
【発明の属する技術分野】
この発明は、電池実装装置、電池パックおよび携帯機器に関し、より特定的には、電池パックの相対的に狭い面積を有する側面側から給電端子を接触させることが可能な電池実装装置、電池パックおよびこの電池パックを備える携帯機器に関する。
【０００２】
【従来の技術】
従来、携帯機器の例として携帯電話機が知られている。図９は、従来の携帯電話機を示す断面模式図である。図９を参照して、従来の携帯電話機を説明する。
【０００３】
図９を参照して、従来の携帯電話機１０１は、フロントケース１０５とリアケース１０６とからなる携帯電話機１０１の本体１０３と、この本体１０３に収納される電池パック１０２と、この電池パック１０２を覆うように本体１０３に取付けられる電池カバー１０４とを備える。本体１０３においては、フロントケース１０５に電話番号などの情報を表示する液晶窓１０８が設置されている。また、フロントケース１０５には、操作キー１１０を露出させるための開口部１１１が複数個形成されている。
【０００４】
本体１０３の内部には基板１０７が設置されている。基板１０７上には送受話用の回路や電力制御回路など所定の機能回路を実現するための回路素子１１３が設置されている。基板１０７においてフロントケース１０５と対向する面上には操作キー１１０が取付けられている。操作キー１１０は、上述したフロントケース１０５に形成された開口部１１１を介して本体１０３の外部に露出している。
【０００５】
本体１０３のリアケース１０６には、電池パック１０２を装着するための電池パック用開口部１０９が形成されている。電池パック用開口部１０９の底壁には給電端子１１２を露出させるための開口部が形成されている。給電端子１１２は基板１０７の表面上に配置されている。そして、給電端子１１２は、電池パック用開口部１０９の底壁に形成された開口部からその先端部が露出した状態になっている。また、電池パック用開口部１０９において給電端子１１２が配置された側の側壁上にはクッション部材１２２が配置され、このクッション部材１２２の上部には側壁が突出した張出し部１２４が形成されている。また、電池パック用開口部１０９において、給電端子１１２が配置された側と反対側の壁面には電池パック１０２を固定するために用いる開口部１１４が形成されている。
【０００６】
電池パック１０２は、電池パック用開口部１０９の内部に収納されている。電池パック１０２は、電池１１６と、この電池１１６を収納する電池パック外装部材１２５と、給電用電極を含む基板１２０とを含む。電池パック外装部材１２５には、電池パック用開口部１０９の壁面の開口部１１４に挿入するための凸部１２３が形成されている。また、電池パック１０２において、凸部１２３が形成された側と反対側においては、クッション部材１２２に押圧されるとともに、張出し部１２４下に位置する凸部が形成されている。電池パック１０２の凸部１２３が開口部１１４に挿入されるとともに、基板１２０側に形成された凸部がクッション部材１２２に押圧されることにより、電池パック１０２は電池パック用開口部１０９の内部に固定される。
【０００７】
電池パック１０２を構成する電池１１６は、発電要素と、この発電要素を包むように配置された外装部材と、発電要素と電気的に接続され、外装部材の内部から外部にまで延在するように配置された導電線１１７とを含む。導電線１１７は保護回路部材１１５に接続されている。保護回路部材１１５は導電線１１８を介して基板１２０に接続されている。基板１２０は電池パック外装部材１２５に固定されている。電池パック用開口部１０９の底壁と対向する電池パック外装部材１２５の表面において、給電端子１１２と対向する領域では、基板１２０を露出させるための開口部が形成されている。この開口部から露出した基板１２０の表面に給電端子１１２が接触している。電池パック１０２はこの給電端子１１２を介して携帯電話機１０１に電流を供給することができる。
【０００８】
【発明が解決しようとする課題】
上述した従来の携帯電話機１０１においては、以下のような問題があった。すなわち、図９に示すように、電池パック１０２の下側（電池パック用開口部１０９の底壁側）から給電端子１１２が電池パック１０２の基板１２０に接触しているので、電池パック１０２は給電端子１１２により押上げられる方向（電池パック用開口部１０９から飛出す方向）に力を受ける。したがって、電池パック１０２が電池パック用開口部１０９から飛出さないように電池パック１０２を確実に固定するため、電池パック用開口部１０９の張出し部１２４や開口部１１４、および電池パック１０２の凸部１２３などの寸法精度を高くしておく必要がある。このため、電池パック１０２やリアケース１０６などを形成するための金型なども高い精度が必要になり、結果的に製造コストが上昇することになっていた。
【０００９】
また、電池パック用開口部１０９の底壁側から給電端子１１２を電池パック１０２の基板１２０に接触させるので、携帯電話機１０１の厚み方向において電池パック１０２と給電端子１１２とを積層するように配置する必要がある。給電端子１１２のサイズを小さくすることには限界があるため、図９に示したような構成の電池パック１０２を用いた場合には携帯電話機１０１の厚みをある程度以下に薄くすることは難しかった。
【００１０】
また、図９に示した従来の携帯電話機１０１では、電池パック用開口部１０９の壁面に配置されたクッション部材１２２のように電池パック１０２を固定するための独立した部材を配置しているので、携帯電話機１０１を構成する部品点数が増えることになっていた。このように部品点数が増えると、結果的に携帯電話機１０１の製造コストが増大することになる。
【００１１】
この発明は、上記のような課題を解決するためになされたものであり、この発明の目的は、薄型化を図ることができるとともに低コストな携帯機器を実現することができる電池実装装置、電池パックおよびこの電池パックを用いた携帯機器を提供することである。
【００１２】
【課題を解決するための手段】
この発明の１の局面における電池実装装置は、相対的に広い面積を有する一方表面と、この一方表面に連なり、一方表面と交差する方向に延びるとともに、相対的に狭い面積を有し、開口部が形成された他方表面とを有する筐体と、筐体の内部に配置され、開口部において一部表面が露出するとともに、筐体の内部に配置された電池と電気的に接続された端子部材を備える。端子部材は一部表面と連なる端部を含み、この端部は筐体に形成された凹部に挿入されている。さらに、端子部材は、他方表面とほぼ平行に延在し、一部表面および端部を含む電極部と、電極部に連なり、一方表面とほぼ平行に延在するとともに一方表面を構成する筐体の部分と接触するベース部とを含む。
【００１３】
このようにすれば、電池パックの相対的に狭い面積を有する他方表面（側壁面）において端子部材の一部表面を露出させることができる。このため、電池パックの側壁面側から携帯機器の給電端子を端子部材に接触させることができるので、電池パックの相対的に広い面積を有する一方表面側に携帯機器の給電端子が積層するように配置されることは無い。したがって、携帯機器の厚み（電池パックの一方表面にほぼ垂直な方向における携帯機器の厚み）を薄くすることが可能になる。
【００１４】
また、電池パックの側壁面側から給電端子が端子部材の一部表面を押圧するようにする一方、電池パックにおいて端子部材が配置された部分とは反対側に位置する部分において電池パックを携帯機器に接続・固定するための凹凸部などを設けておけば、電池パックを固定するための部材として給電端子を利用することができる。したがって、従来のように電池パックを固定するためのクッション部材と給電端子とを別々に設置する場合より、携帯機器の部品点数を削減できる。このため、携帯機器の製造コストを低減できる。
【００１５】
また、電池パックの側壁面側から給電端子が端子部材に接触するので、電池パックの一方表面を携帯機器の本体に対向するように配置した場合、従来のように給電端子により電池パックが携帯機器の本体から飛出す方向に力を受けることはない。このため、このような電池パックの飛出しを防止するために電池パックと携帯機器との接合部の寸法精度を高くしておく必要が無いので、電池パックおよび携帯機器の製造コストを低減できる。
【００１６】
また、電池パックの端子部材は、電池パックの筐体に形成された凹部に挿入されることにより固定されているので、筐体と端子部材とを一体成形するような場合より製造工程を簡略化できる。したがって、電池パックの製造コストを低減できる。
また、端子部材が筐体の一方表面と接触するとともに、一方表面上から他方表面の開口部が位置する領域にまで延在するように形成されているので、この端子部材を筐体の補強部材として利用することができる。したがって、電池パックの強度を向上させることができる。
【００１７】
上記１の局面における電池実装装置では、凹部が他方表面の延びる方向とほぼ平行な方向に延びるように形成されていてもよい。
【００１８】
この場合、開口部において露出した端子部材の一部表面が給電端子などにより（他方表面に対してほぼ垂直方向に）押圧される際に、端子部材が他方表面に対して垂直方向に移動することを確実に防止できる。したがって、他方表面に対して垂直方向における電池パックの強度を十分な大きさにすることができる。
【００２１】
上記１の局面における電池実装装置では、端子部材が金属を含んでいてもよい。
【００２２】
この場合、端子部材を比較的強度の高い金属で構成することにより、導電性を有するとともに高い強度を示す端子部材を実現できる。
【００２６】
この発明の別の局面における電池パックは、上記１の局面における電池実装装置を備える。
【００２７】
この場合、相対的に狭い面積を有する他方表面（側面）側から給電端子を接触させることができる電池パックを低コストで実現できる。
【００２８】
この発明の他の局面における携帯機器は、上記別の局面における電池パックと、開口部において露出する端子部材の一部表面に接触する給電端子とを備える。
【００２９】
この場合、相対的に広い面積を有する一方表面側に給電端子を配置する必要が無いので、電池パックの筐体の一方表面に垂直な方向における携帯機器の厚みを薄くすることができる。したがって、携帯機器の薄型化を実現できる。
【００３０】
【発明の実施の形態】
以下、図面に基づいて本発明の実施の形態を説明する。なお、以下の図面において同一または相当する部分には同一の参照番号を付しその説明は繰返さない。
【００３１】
（実施の形態１）
図１は、本発明による電池パックの実施の形態１を用いた携帯電話機を示す断面模式図である。図２は、図１に示した携帯電話機において用いられる電池パックを示す斜視模式図である。図３は、図２に示した電池パックの線分ＩＩＩ−ＩＩＩにおける部分拡大断面模式図である。図４は、図２に示した電池パックの構造を説明するための部分展開斜視図である。図１〜４を参照して、本発明による電池パックを用いた携帯電話機を説明する。
【００３２】
図１〜図４を参照して、本発明による携帯電話機１は、フロントケース５とリアケース６とからなる携帯電話機１の本体３と、この本体３に収納される電池パック２と、この電池パック２を覆うように本体３に取付けられる電池カバー４とを備える。本体３においては、フロントケース５に電話番号、文字情報および画像データなどの情報を表示する液晶表示装置の表示面を覆う液晶表示窓８が設置されている。また、フロントケース５には、操作キー１０を露出させるための開口部１１が複数個形成されている。
【００３３】
本体３の内部には基板７が設置されている。基板７上には送受話用の回路や電力制御回路など所定の機能回路を実現するための回路素子１３が設置されている。基板７においてフロントケース５と対向する面上には複数の操作キー１０が取付けられている。操作キー１０の上部は、フロントケース５に形成された開口部１１を介して本体３の外部に露出している。
【００３４】
本体３のリアケース６には、電池パック２を装着するための電池パック用開口部９が形成されている。電池パック用開口部９の側壁には給電端子１２を露出させるための開口部１４が形成されている。給電端子１２は、本体３の内部に収納された基板７の表面上に設置された保持部材３４の側壁面上に配置されている。そして、給電端子１２は、電池パック用開口部９の側壁に形成された開口部１４からその先端部が露出した状態になっている。また、電池パック用開口部９において、給電端子１２が配置された側と反対側の側壁には電池パック２を固定するための突起部２２が形成されている。
【００３５】
電池パック２は電池パック用開口部９の内部に収納されている。電池パック２は、いわゆるバターカップ型の電池１６と、この電池１６を収納する電池パック外装部材を構成するケース部分２５ａ、２５ｂとを含む。ケース部分２５ａ、２５ｂからなる筐体としての電池パック外装部材は、電池パック用開口部９の底壁に対向するように配置され、相対的に広い面積を有する一方表面と、この一方表面に連なり、一方表面と交差する方向に延びるとともに、相対的に狭い面積を有する他方表面としての側面とを有する。電池パック外装部材の側面には開口部としての端子窓２１ａ〜２１ｃが形成されている。
【００３６】
電池１６は、発電要素２６と、この発電要素２６を包むように配置された外装部材２７と、発電要素と電気的に接続され、外装部材２７の内部から封止部２８を介して外部にまで延在するように配置された導電線１７とを含む。外装部材２７は、封止部２８によって封止されている。発電要素２６を囲むようにこのような封止部２８を形成することにより、外装部材２７の内部に発電要素２６が密閉されている。
【００３７】
電池パック２の導電線１７は、電池１６を保護するための保護回路部材１５に接続されている。なお、保護回路部材１５としては、たとえばＰＴＣ（Positive Temperature Coefficient）を用いることができる。保護回路部材１５は、導電線１８を介して基板２０に電気的に接続されている。基板２０において、導電線１８が接続された面とは反対側に位置する面上には端子部材としての端子板１９ａ〜１９ｃがそれぞれ所定の位置に配置されている。
【００３８】
端子板１９ａ〜１９ｃは、それぞれその断面が図３に示すようにＬ字形になっている。端子板１９ｂのベース部３６は、基板２０の上部表面に接続される。なお、端子板１９ｂのベース部３６の上部表面はケース部分２５ａの内周壁面と接触している。端子板１９ｂは、このベース部３６に連なるとともに、電池パック２の側面にほぼ平行に延びる電極部３５を含む。電極部３５の一部表面は端子窓２１ｂから露出している。また、電極部３５の端部はケース部分２５ｂに形成された凹部２４ｂに嵌め合され、固定されている。また、端子板１９ｃもベース部と電極部とを有し、ベース部が基板２０の上部表面に固定されるとともに、電極部の端部がケース部分２５ｂの凹部２４ｃに挿入固定されている。また、端子板１９ａもベース部と電極部とを有し、端子板１９ｂなどと同様にベース部が基板２０の上部表面に固定されるとともに、電極部の端部がケース部分２５ｂに形成された凹部に挿入固定されている。なお、基板２０はケース部分２５ａに固定されている。
【００３９】
電池１６の導電線１７は、保護回路部材１５、導電線１８、基板２０を介して、端子板１９ｂと電気的に接続されている。また、他の端子板１９ａ、１９ｃも同様に電池１６と電気的に接続されている。そして、ケース部分２５ａ、２５ｂからなる電池パック２の筐体においては、電池パック２の長手方向に垂直な方向に延在する側壁部に端子窓２１ａ〜２１ｃが形成されている。この端子窓２１ａ〜２１ｃにおいて、端子板１９ａ〜１９ｃの一部の表面が露出した状態になっている。また、電池パック２において端子窓２１ａ〜２１ｃが形成された側壁と反対側に位置する側壁には、電池パック２を電池パック用開口部９の内部において固定するために用いる爪部２３が形成されている。
【００４０】
電池パック用開口部９の内部に電池パック２を装着する場合には、電池パック２の爪部２３を、電池パック用開口部９の側壁に形成された突起部２２下に突合せる。そして、電池パック２を電池パック用開口部９の内部に挿入することにより、電池パック２の端子窓２１ａ〜２１ｃにおいて露出している端子板１９ａ〜１９ｃにそれぞれ給電端子１２を接触させる。この結果、給電端子１２を介して電池パック２から携帯電話機１の内部の回路へと電流を供給することができる。
【００４１】
そして、図１に示すように電池パック用開口部９の内部に電池パック２を装着した後、電池パック用開口部９を覆うように電池カバー４をリアケース６の所定の位置へと配置する。
【００４２】
このような電池実装構造を有する電池パック２では、相対的に狭い面積を有する他方表面としての側壁面において端子部材としての端子板１９ａ〜１９ｃの一部表面を露出させることができる。このため、電池パック２の側壁面側から携帯機器としての携帯電話機１の給電端子１２を端子板１９ａ〜１９ｃに接触させることができる。したがって、電池パック２の相対的に広い面積を有する一方表面側（電池パック用開口部９の底壁と対向する表面側）に携帯電話機１の給電端子１２が積層するように配置されることは無い。この結果、携帯電話機１の厚み（電池パック用開口部９の底壁にほぼ垂直な方向における携帯電話機１の厚み）を薄くすることが可能になる。
【００４３】
また、電池パック２の側壁面側から給電端子１２が端子板１９ａ〜１９ｃを押圧する一方、電池パック２において端子板１９ａ〜１９ｃが配置された部分とは反対側に位置する部分において、電池パック２を携帯電話機１に接続・固定するための爪部２３を設けている。給電端子１２により電池パック２が押圧されることにより、電池パック２の爪部２３は電池パック用開口部９の壁面の突起部２２と確実にかみ合わせられることになる。このため、電池パック２を固定するための部材として給電端子１２を利用することができる。したがって、従来のように電池パック２を固定するためのクッション部材１２２（図９参照）と給電端子１１２（図９参照）とを別々に設置する場合より、携帯電話機１の部品点数を削減できる。このため、携帯電話機１の製造コストを低減できる。
【００４４】
また、電池パック２の側壁面側から給電端子１２が端子板１９ａ〜１９ｃに接触するので、図９に示した携帯電話機のように給電端子１２により電池パック２が携帯電話機１の本体から飛出す方向に力を受けることはない。このため、このような電池パック２の飛出しを防止するために電池パック２と携帯電話機１のリアケース６との接合部の寸法精度を高くする必要が無いので、電池パック２および携帯電話機１の製造コストを低減できる。
【００４５】
また、電池パック２の端子板１９ｂ、１９ｃは、電池パック２のケース部分２５ｂに形成された凹部２４ｂ、２４ｃに挿入されることにより固定されているので、電池パック２のケース部分２５ａ、２５ｂと端子板１９ｂ、１９ｃとを一体成形するような場合より製造工程を簡略化できる。したがって、電池パック２の製造コストを低減できる。
【００４６】
また、電池パック２においては、凹部２４ｂ、２４ｃが電池パック２の側壁面の延びる方向とほぼ平行な方向に延びるように形成されている。この場合、開口部としての端子窓２１ｂ、２１ｃにおいて露出した端子板１９ｂ、１９ｃが給電端子１２などにより押圧される際に、端子板１９ｂ、１９ｃが電池パック２の側壁面に対して垂直方向に移動することを確実に防止できる。
【００４７】
また、端子板１９ａ〜１９ｃは、電池パック２の相対的に広い面積を有する一方表面を構成するケース部分２５ａの一部と接触するとともに、電池パック２の側壁面において端子窓２１ａ〜２１ｃが位置する領域にまで延在するように形成されているので、この端子板１９ａ〜１９ｃを端子用電極として利用できると同時に電池パック２の筐体の補強部材として利用することができる。したがって、電池パック２の強度を向上させることができる。
【００４８】
また、端子板１９ａ〜１９ｃを上述のように金属材料により構成すれば、導電性を有するとともに高い強度を示す端子板１９ａ〜１９ｃを実現できる。
【００４９】
次に、電池パック２の製造方法を簡単に説明する。まず、電池１６を準備する。次に、電池１６の導電線１７を保護回路部材１５へと接続する。保護回路部材１５は、導電線１８を介して基板２０へと電気的に接続される。なお、電池１６の発電要素に接続され、電池１６の外部にまで延在する他の導電線は直接基板２０へと接続する。そして、基板２０において、導電線１８が接続された面とは反対側の表面上に、断面がほぼＬ字状となるようにフォーミング加工した端子板１９ａ〜１９ｃを所定の領域に配置する。端子板１９ａ〜１９ｃを構成する材料としては、導電体であればどのような材料を用いてもよい。たとえば、端子板１９ａ〜１９ｃの材料として、鉄やアルミニウムを用いることができる。
【００５０】
そして、ケース部分２５ａ、２５ｂの間に、電池１６、保護回路部材１５、基板２０および端子板１９ａ〜１９ｃを配置する。このとき、予め基板２０および端子板１９ａ〜１９ｃを、ケース部分２５ａの内壁面上に固定する。そして、図４に示すように、ケース部分２５ａ、２５ｂの間に電池１６、保護回路部材１５、基板２０および端子板１９ａ〜１９ｃを配置した状態で、ケース部分２５ａとケース部分２５ｂとを重ね合せる。このとき、端子板１９ｂ、１９ｃの端部（基板２０と接続された一方端部とは反対側に位置する他方端部）が、ケース部分２５ｂにおいて形成された凹部２４ｂ、２４ｃにそれぞれ嵌め合せられる。端子板１９ａについても、同様にケース部分２５ｂにおいて端子窓２１ａ後に形成された凹部に嵌め合せられる。この結果、図１〜図３に示した電池パック２を得る。
【００５１】
図５は、図１〜図４に示した電池パックの実施の形態１の変形例を示す斜視模式図である。図５を参照して、電池パックを説明する。
【００５２】
図５を参照して、電池パック２は基本的には図１〜図４に示した携帯電話機１に用いられる電池パック２と同様の構造を備えるが、電池パック２のケース部分２５ｂに形成された端子窓２９ａ〜２９ｃの配置が異なる。すなわち、図５に示した電池パック２においては、電池パック２の長手方向にほぼ平行な方向に延在する側壁面に端子窓２９ａ〜２９ｃが形成されている。そして、それぞれの端子窓２９ａ〜２９ｃにおいて、端子板１９ａ〜１９ｃの一部が露出した状態になっている。なお、電池パック２の内部において端子窓２９ａ〜２９ｃに隣接する位置に基板２０が配置されている。端子板１９ａ〜１９ｃは、図１〜図４に示した電池パック２における端子板１９ａ〜１９ｃと同様に、その断面形状がほぼＬ字状となっている。
【００５３】
このようにしても、図１〜図４に示した電池パックと同様の効果を得ることができる。
【００５４】
（実施の形態２）
図６は、本発明による電池パックの実施の形態２を示す斜視模式図である。図７は、図６に示した電池パックの線分ＶＩＩ−ＶＩＩにおける部分拡大断面模式図である。図６および７を参照して、本発明による電池パックの実施の形態２を説明する。
【００５５】
図６および７を参照して、電池パック２は、基本的には図１〜４に示した電池パックと同様の構造を備えるが、携帯電話機の給電端子と接触する端子電極となる基板３１ａ〜３１ｃが配置された部分の構造およびケース部材３０ａ、３０ｂの形状が異なる。すなわち、ケース部分３０ａ、３０ｂにおいて、電池パック２の側壁面を構成する部分の長さ（高さ）はほぼ等しくなっている。そして、端子窓２１ａ〜２１ｃにおいては、表面に電極としての導電体層（図示せず）が形成された基板３１ａ〜３１ｂの一部が露出した状態になっている。基板３１ａ〜３１ｃには、それぞれ導電線１８を介して保護回路部材１５が接続されている。なお、保護回路部材１５は、基板３１ａ〜３１ｃのうちの少なくともいずれか１つに接続されるように配置されていることが好ましい。
【００５６】
ケース部分３０ａ、３０ｂにおいて、端子窓２９ａ〜２９ｃの側壁を構成する部分には凹部３２ａ、３２ｂがそれぞれ形成されている。そして、基板３１ａ〜３１ｃは、端子窓２１ａ〜２１ｃの側壁におけるそれぞれの凹部３２ａ、３２ｂに嵌め込まれた状態で、端子窓２１ａ〜２１ｃを塞ぐように固定されている。
【００５７】
なお、電池１６は、導電線１７、保護回路部材１５、導電線１８を介して、基板３１ａ〜３１ｃの表面に形成された電極としての導電体層と電気的に接続されている。
【００５８】
このような電池パック２によっても、図１〜４に示した電池パックと同様の効果を得ることができる。
【００５９】
また、端子板３１ａ〜３１ｃが電池パック２の開口部としての端子窓２１ａ〜２１ｃを塞ぐように配置されているので、電池パック２のケース部分３０ａ、３０ｂからなる筐体を補強する補強部材として端子板３１ａ〜３１ｃを利用できる。このため、電池パック２の機械的な強度を向上させることができる。
【００６０】
また、端子板３１ａ〜３１ｃが端子窓２１ａ〜２１ｃを塞ぐように配置されているので、従来のように電池パック２の相対的に広い面積を有する面に沿って端子板を配置する場合より、上記相対的に広い面積を有する面側から見た場合の電池パック２の面積を小さくすることができる。したがって、電池パック２の小型化を図ることができる。
【００６１】
図８は、図６および７に示した本発明による電池パックの実施の形態２の変形例を示す斜視模式図である。図８を参照して、図６および７に示した電池パックの変形例を説明する。
【００６２】
図８を参照して、電池パック２は基本的には図６および７に示した電池パックと同様の構造を備えるが、端子窓３３ａ〜３３ｃの配置が異なる。すなわち、図８に示した電池パック２においては、電池パック２の長手方向とほぼ平行に延びる側壁面に端子窓３３ａ〜３３ｃが形成されている。そして、この端子窓３３ａ〜３３ｃにおいて基板３１ａ〜３１ｃが露出した状態になっている。この基板３１ａ〜３１ｃの表面に形成された導電体層（図示せず）と、携帯電話機における給電端子とが接触することにより、電池パック２から携帯電話機の内部の回路などへと電流を供給することができる。なお、端子窓３３ａ〜３３ｃの側壁を構成する部分においては、図７に示したような凹部が形成され、この凹部に基板３１ａ〜３１ｃがそれぞれ固定された状態になっている。
【００６３】
このようにしても、図６および７に示した携帯電話機と同様の効果を得ることができる。
【００６４】
今回開示された実施の形態はすべての点で例示であって制限的なものではないと考えられるべきである。本発明の範囲は上記した実施の形態ではなくて特許請求の範囲によって示され、特許請求の範囲と均等の意味および範囲内でのすべての変更が含まれることが意図される。
【００６５】
【発明の効果】
このようにすれば、電池パックにおいて相対的に狭い面積を有する表面（側面）側に簡単な構造の電極部を形成するので、電池パックの側面側から給電端子を接続することができる電池パックを低コストで実現できる。したがって、本発明による電池パックを適用した携帯電話機などの携帯機器の薄型化・低コスト化を図ることができる。
【図面の簡単な説明】
【図１】  本発明による電池パックの実施の形態１を用いた携帯電話機を示す断面模式図である。
【図２】  図１に示した携帯電話機において用いられる電池パックを示す斜視模式図である。
【図３】  図３は、図２に示した電池パックの線分ＩＩＩ−ＩＩＩにおける部分拡大断面模式図である。
【図４】  図４は、図２に示した電池パックの構造を説明するための部分展開斜視図である。
【図５】  図１〜図４に示した電池パックの実施の形態１の変形例を示す斜視模式図である。
【図６】  本発明による電池パックの実施の形態２を示す斜視模式図である。
【図７】  図６に示した電池パックの線分ＶＩＩ−ＶＩＩにおける部分拡大断面模式図である。
【図８】  図６および７に示した本発明による電池パックの実施の形態２の変形例を示す斜視模式図である。
【図９】  従来の携帯電話機を示す断面模式図である。
【符号の説明】
１  携帯電話機、２  電池パック、３  本体、４  電池カバー、５  フロントケース、６  リアケース、７，２０，３１ａ〜３１ｃ  基板、８  液晶表示窓、９  電池パック用開口部、１０  操作キー、１１  開口部、１２  給電端子、１３  素子、１４  開口部、１５  保護回路部材、１６  電池、１７，１８  導電線、１９ａ〜１９ｃ  端子板、２１ａ〜２１ｃ，２９ａ〜２９ｃ，３３ａ〜３３ｃ  端子窓、２２  突起部、２３  爪部、２４ｂ，２４ｃ，３２ａ，３２ｂ  凹部、２５ａ，２５ｂ，３０ａ，３０ｂ  ケース部分、２６  発電要素、２７  外装部材、２８  封止部、３４  保持部材、３５  電極部、３６  ベース部。
【図１】
0003856685.tif 000002
【図２】
0003856685.tif 000003
【図３】
0003856685.tif 000004
【図４】
0003856685.tif 000005
【図５】
0003856685.tif 000006
【図６】
0003856685.tif 000007
【図７】
0003856685.tif 000008
【図８】
0003856685.tif 000009
【図９】
0003856685.tif 000010